(57)【要約】【課題】  待機時の消費電力を抑えつつ、通電表示灯の発光のちらつきを抑えたインターホン装置を提供する。  【解決手段】  信号線が接続され、非通話状態である待機時において前記信号線に待機時電圧を印加するインターホン親機と、前記信号線が接続され、呼出スイッチと、前記待機時電圧を受けて発光する通電表示灯とを有するドアホン子器と、を有するインターホン装置において、インターホン親機２から給電される待機時電圧をパルス電圧に変換すると共に、パルス電圧の電圧上昇時に充電し電圧降下時に蓄積電荷を通電表示灯に放電するコンデンサ１ｐを設けた。【選択図】図１
2005341070.tif 000002
【特許請求の範囲】
【請求項１】
信号線が接続され、非通話状態である待機時において前記信号線に待機時電圧を印加するインターホン親機と、
前記信号線が接続され、呼出スイッチと、前記待機時電圧を受けて発光する通電表示灯とを有するドアホン子器と、を有するインターホン装置において、
上記待機時電圧をパルス電圧に変換すると共に、該パルス電圧の電圧上昇時に充電し電圧降下時に蓄積電荷を通電表示灯に放電するコンデンサを設けたことを特徴とするインターホン装置。
【請求項２】
上記呼出スイッチが操作された時に信号線に印加された待機時電圧を電圧降下させ、該電圧降下を検知することで、呼出スイッチの操作をインターホン親機にて認識すると共に、
上記コンデンサは、呼出スイッチ操作による電圧降下時に蓄積電荷を通電表示灯に放電することを特徴とする、請求項１記載のインターホン装置。
【発明の詳細な説明】
【技術分野】
【０００１】
本発明は、インターホン装置に関するものである。
【背景技術】
【０００２】
従来から、特許文献１に示されるようなインターホン装置が提供されている。このインターホン装置は、非通話状態である待機時においてドアホン子器の通電表示灯（表示灯用ＬＥＤ１５）にパルス電圧を印加し、速い周期のパルス電圧を使用することで、人間の目の残像現象により通電表示灯が一定の明るさで発光しているように見せており、また、待機時の消費電力の低減の効果をも有している。
【特許文献１】特開平８−２９３９３４号公報
【発明の開示】
【発明が解決しようとする課題】
【０００３】
しかしながら背景技術のインターホン装置は、人間の目の残像現象を利用しているとはいえ、通電表示灯の発光の際のちらつきが目立つ場合があった。
【０００４】
本発明は、上記背景技術における問題を解決するためになされたもので、待機時の消費電力を抑えつつ、通電表示灯の発光のちらつきを抑えたインターホン装置を提供する。
【課題を解決するための手段】
【０００５】
上記課題を解決するため、本願発明の請求項１は、信号線が接続され、非通話状態である待機時において前記信号線に待機時電圧を印加するインターホン親機と、前記信号線が接続され、呼出スイッチと、前記待機時電圧を受けて発光する通電表示灯とを有するドアホン子器と、を有するインターホン装置において、上記待機時電圧をパルス電圧に変換すると共に、該パルス電圧の電圧上昇時に充電し電圧降下時に蓄積電荷を通電表示灯に放電するコンデンサを設けたことを特徴とするものである。
【０００６】
また、請求項２は、請求項１において、上記呼出スイッチが操作された時に信号線に印加された待機時電圧を電圧降下させ、該電圧降下を検知することで、呼出スイッチの操作をインターホン親機にて認識すると共に、上記コンデンサは、呼出スイッチ操作による電圧降下時に蓄積電荷を通電表示灯に放電することを特徴とするものであり、呼出スイッチの操作の際の通電表示灯の発光輝度の低下を抑えることができる。
【発明の効果】
【０００７】
本願発明においては、待機時の消費電力を抑えつつ、通電表示灯の発光のちらつきを抑えることができる。
【発明を実施するための最良の形態】
【０００８】
図１乃至４は、本発明の請求項１乃至２に対応した実施形態の一例であり、図１は本願発明の回路図、図２は各部電圧の関係を示すタイムチャート、図３はシステム図、図４は機能ブロック図を示している。
【０００９】
図３に示すように、本願発明に係るインターホン装置は、屋外に設置されるドアホン子器１と、屋内に設置されるインターホン親機２とが、ペア線である信号線３により互いに接続されて構成されている。インターホン親機２からは、信号線３を介してドアホン子器１に対し動作電源が給電されると共に、インターホン親機２とドアホン子器１との間において相互の通話音声信号が信号線３を介して送受信される。
【００１０】
ドアホン子器１は、来訪者が操作する押しボタン式の呼出スイッチ１ａと、来訪者を撮像するカメラ部１ｃと、インターホン親機２からの通話音声が出力されるスピーカー１ｄと、来訪者が話す通話音声を収音するマイク（不図示）を有しており、更に呼出スイッチ１ａの中央部には、ドアホン子器１に電源が供給されている際に発光する通電表示灯１ｂが設けられ、発光ダイオード等の発光素子を使用して構成されている。
【００１１】
インターホン親機２は、ドアホン子器１との通話状態を開始する際に操作する通話スイッチ２ａと、通話時状態になっているときに発光する通話表示灯２ｂと、ドアホン子器１のカメラ１ｃが撮像した映像を表示するモニタテレビ等の表示部２ｃと、ドアホン子器１からの通話音声を出力するスピーカー（不図示）と、屋内の居住者が話す通話音声を収音するマイク（不図示）と、を有している。
【００１２】
また、図４において、ドアホン子器１は、上記呼出スイッチ１ａ、カメラ部１ｃ、スピーカー１ｄと、上記マイク１ｅと、上記通電表示灯１ｂと周辺回路から成る表示部１ｆと、入出力部１ｇと、カメラ部１ｃが撮像した映像を処理して映像信号として出力する映像処理部１ｈと、スピーカー１ｄ及びマイク１ｅ用の音声アンプ等を含む通話制御部１ｊと、各機能ブロックを制御するＣＰＵ等の制御部１ｋと、を有して成る。上記入出力部１ｇは、インターホン親機２から給電される動作電源を受電し、また、動作電源に重畳された通話音声信号を分離して通話制御部１ｊに出力し、また、通話制御部１ｊからの通話音声を信号線３に出力する。
【００１３】
インターホン親機２は、上記通話スイッチ２ａ、通話表示灯２ｂ、表示部２ｃと、上記スピーカー２ｄ，マイク２ｅと、入出力部２ｇと、ドアホン子器１からの映像信号を処理して表示部２ｃへの表示出力を行う映像処理部２ｈと、スピーカー２ｄ及びマイク２ｅ用の通話制御部２ｊと、各機能ブロックを制御するＣＰＵ等の制御部２ｋと、各機能ブロックへ電源を供給する電源部２ｍと、を有して成る。上記入出力部２ｇは、非通話状態である待機時において信号線３に待機時電圧を印加し、また、ドアホン子器１からの通話音声信号を分離して通話制御部２ｊに出力し、また、通話制御部２ｊからの通話音声を上記動作電源に重畳して信号線３に出力する。また、図４において機能ブロック間の実線は信号ライン、破線は電源ラインを表す。
【００１４】
図１は、上記ドアホン子器１内の上記表示部１ｆの回路図の一例であるが、表示部１ｆは、上記呼出スイッチ１ａ、発光ダイオード等から成る通電表示灯１ｂと、受電端子１ｍ、ダイオード１ｎ、電解コンデンサ等のコンデンサ１ｐとから成り、受電端子１ｍと呼出スイッチ１ａが直列に接続されると共に呼出スイッチ１ａ側端部は接地されており、受電端子１ｍと呼出スイッチ１ａとの間１ｒ点に、上記ダイオード１ｎと上記通電表示灯１ｂとの直列回路のダイオード１ｎ側端部が接続され通電表示灯１ｂ側端部が接地されている。また、ダイオード１ｎに対し、通電表示灯１ｂと並列に上記コンデンサ１ｐが接続されており接地されている。ダイオード１ｎとコンデンサ１ｐは整流回路を形成する。インターホン親機２から給電される待機時電圧は、受電端子１ｍに印加され、通電表示灯１ｂに給電され通電表示灯１ｂが発光するが、その前に制御部１ｋからパルス信号１ｑが出力され、このパルス信号１ｑが、受電端子１ｍと呼出スイッチ１ａとの間１ｒ点に印加されることによって、上記待機時電圧は、図２（Ｙ）に示すようにパルス電圧に変換される。このパルス電圧が、ダイオード１ｎを介して通電表示灯１ｂに印加されることになるが、パルス電圧の電圧上昇時にはコンデンサ１ｐは充電され、またパルス電圧の電圧降下時には、図２（Ｚ）斜線部のようにコンデンサ１ｐの蓄積電荷が通電表示灯１ｂに放電される。このように通電表示灯１bには、図２（Ｚ）のように略整流された電圧（Ｈｉ）が印加されるので、通電表示灯１ｂの発光のちらつきを抑えることができ、また、表示部１ｆにて消費される電力は、図２（Ｙ）のような間欠消費となるため、特許文献１と同様に消費電力を抑えることが可能となる。
【００１５】
また、パルス電圧の周期、幅、デューティー比を変更する手段をドアホン子器１に設け、パルス電圧の調整を行うことによって、消費電力のより一層の低減が可能となる。このときはコンデンサ１ｑは容量が大きなものを使用するのが望ましい。」
また、図２（X）に示すように、インターホン装置は、非通話状態でない待機時（ａ）状態には、インターホン親機２から直流６Ｖの待機時電圧が信号線３を介してドアホン子器１に供給されており、この待機時電圧にてドアホン子器１は待機状態でも動作することができる。また、呼出スイッチ１ｂ操作時（ｃ）のみペアの信号線３の線間を短絡することにより信号線３に印加された待機時電圧を強制的に０Ｖまで電圧降下させ、該電圧降下をインターホン親機の制御部２ｋが検知することで、ドアホン子器１の呼出スイッチ１ｂの操作をインターホン親機２にて認識すると共に、その後、インターホン親機２においては上記通話スイッチ２ａを操作することにより、信号線３の線間電圧を通話時電圧の１２Ｖまで上昇させることでドアホン子器１の通話制御部１ｊ等を動作させ、通話時（ｂ）状態に移行する。
【００１６】
ところで、信号線３の線間電圧が上記受電端子１ｍに印加されているため、上記呼出スイッチ１ｂ操作時（ｃ）においては、通電表示灯１ｂには受電端子１ｍからの電圧は直接供給されないが、上記コンデンサ１ｐの蓄積電荷が図２（Ｚ）のように通電表示灯１ｂに放電されるため、このときでも通電表示灯１ｂには略整流された電圧が印加され、発光の輝度低下を抑えることができる。
【００１７】
以上、実施形態を説明したがあくまで一例であり、本願発明が上記の実施形態に限定されることは無いのは言うまでもない。例えば待機時電圧をパルス電圧に変換する手段をインターホン親機２側に設け、ドアホン子器１に給電される待機時電圧自体がパルス電圧の状態でインターホン親機２から出力されるようにしてもよいし、電解コンデンサ以外のコンデンサ１ｐを使用するようにしてもよい。
【図面の簡単な説明】
【００１８】
【図１】本発明の実施形態を示す回路図。
【図２】本発明の実施形態の各部電圧の関係を示すタイムチャート。
【図３】本発明の実施形態を示すシステム図。
【図４】本発明の実施形態を示す機能ブロック図。
【符号の説明】
【００１９】
１  ドアホン子器
１ａ  呼出スイッチ
１ｂ  通電表示灯
１ｋ  制御部
１ｍ  受電端子
１ｎ  ダイオード
１ｐ  コンデンサ
２  インターホン親機
３  信号線
【図１】
2005341070.tif 000003
【図２】
2005341070.tif 000004
【図３】
2005341070.tif 000005
【図４】
2005341070.tif 000006